(57)【要約】
【課題】給水管とエア抜きバルブとを連結するためのアダプタであって、部品点数が少なく、溶接等の煩雑な接合作業が不要で、製造コストを低減することができるとともに、内面部にエア溜まりとなる凹部が発生しないアダプタを提供すること。
【解決手段】給水管の先端にエア抜きバルブを連結するためのアダプタであって、一端に給水管接合管部を有し、他端に上記給水管接合管部と連通すると共に、上記給水管接合管部よりも内径が縮小したエア抜きバルブ接合管部を有し、全体が金属製で切削加工により形成されたことを特徴とする。
【選択図】図１
0003099255.tif 000002
【実用新案登録請求の範囲】
【請求項１】
　給水管の先端にエア抜きバルブを連結するためのアダプタであって、一端に給水管接合管部を有し、他端に上記給水管接合管部と連通すると共に、上記給水管接合管部よりも内径が縮小したエア抜きバルブ接合管部を有し、全体が金属製で切削加工により形成されたことを特徴とする給水管とエア抜きバルブの連結用アダプタ。
【請求項２】
　上記給水管接合管部の内面部と、上記エア抜きバルブ接合管部の内面部とがテーパ状内面部を介して連続形成されていることを特徴とする請求項１記載の給水管とエア抜きバルブの連結用アダプタ。
【請求項３】
　上記エア抜きバルブ接合管部に、エア抜きバルブに対する接合用のネジ部が形成されると共に、上記エア抜きバルブ接合管部の根元部の外周面に、断面六角形のナット状鍔部が形成されたことを特徴とする請求項１又は２記載の給水管とエア抜きバルブの連結用アダプタ。
【請求項４】
　上記給水管接合管部の外周面に、給水管とハウジング型管継手により連結するためのハウジング型管継手係合用の溝部が形成されたことを特徴とする請求項１、２又は３記載の給水管とエア抜きバルブの連結用アダプタ。
【請求項５】
　上記給水管接合管部は給水管に対し溶接により接合しうるように形成されていることを特徴とする請求項１、２又は３記載の給水管とエア抜きバルブの連結用アダプタ。
【考案の詳細な説明】
【技術分野】
【０００１】
　本考案は、給水管とエア抜きバルブの連結用アダプタに関するものである。
【背景技術】
【０００２】
　マンション等のビルにおいて各階に給水するために、給水管が鉛直方向に取り付けられている。したがって、給水管の内部を流れる水の中に混入したエアは給水管の上端部に溜まることになる。
【０００３】
　そして、溜まったエアの量が増えると水の流通を阻害することになるので、定期的にエア抜きする必要がある。そのため、給水管の上端部には、一般的に、エア抜きバルブが取り付けられている。
【０００４】
　上記のように、給水管の先端部にエア抜きバルブを取り付ける場合、給水管とエア抜きバルブとを繋ぐ連結用部品を使用する必要がある。
【０００５】
　そして、給水管の内径に比べ、エア抜きバルブの内径はより縮小されているので、連結用部品は、一端の内径が大きく、他端の内径が小さくなるように形成する必要があった。
【０００６】
　そのため、従来は、図６に示すように、給水管に接合する内径の大きいパイプ状の端部用部品２０と、エア抜きバルブに接合する内径の小さな端部用部品２１と、上記の２つの端部用部品２０，２１を繋ぐために内径が大から小へ変化するキャップやレジューサといった中間部品２２とを用いて、それらを溶接により接合することで上記の連結用部品２３を形成していた。図中、２４が溶接部を示している。
【０００７】
　したがって、従来の連結用部品２３にあっては、部品点数が多く、溶接加工も煩雑なので、製造コストが嵩むという不具合があった。
【０００８】
　また、溶接により部品を接合する場合、内面部を面一にするのが難しく、内面部に凹部が発生して、その凹部がエア溜まりになってしまうという不具合もあった。
　なお、出願人は、上記の不具合を解消できる連結具を調査したが、関連する先行技術文献を発見できなかった。
【考案の開示】
【考案が解決しようとする課題】
【０００９】
　本考案の課題は、上記の不具合を解消できる給水管とエア抜きバルブの連結用アダプタを提供すること、すなわち、部品点数が減少し、溶接等の煩雑な接合作業が不要で、製造コストを低減することができるとともに、内面部にエア溜まりとなる凹部が発生しない給水管とエア抜きバルブの連結用アダプタを提供することである。
【課題を解決するための手段】
【００１０】
　上記課題を解決するために、本考案の給水管とエア抜きバルブの連結用アダプタは、給水管の先端にエア抜きバルブを連結するためのアダプタであって、一端に給水管接合管部を有し、他端に上記給水管接合管部と連通すると共に、上記給水管接合管部よりも内径が縮小したエア抜きバルブ接合管部を有し、全体が金属製で切削加工により形成されたことを特徴とするものである。
【００１１】
　これにより、本考案に係る給水管とエア抜きバルブの連結用アダプタにあっては、一部品となるので部品点数が減少すると共に、溶接等の煩雑な接合作業が不要となって、製造コストを低減することができる。
　また、内面部を凹部が発生しないように、すなわち、エア溜まりが発生しないように加工することが容易である。
【００１２】
　また、本考案の給水管とエア抜きバルブの連結用アダプタは、上記給水管接合管部の内面部と、上記エア抜きバルブ接合管部の内面部とがテーパ状内面部を介して連続形成されているものとすることができる。
【００１３】
　これにより、本考案に係る給水管とエア抜きバルブの連結用アダプタにあっては、上記給水管接合管部からエアが上記テーパ状内面部によって阻害されずにスムースにエア抜きバルブ接合管部へ流入することができる。
【００１４】
　また、本考案の給水管とエア抜きバルブの連結用アダプタは、上記エア抜きバルブ接合管部に、エア抜きバルブに対する接合用のネジ部が形成されると共に、上記エア抜きバルブ接合管部の根元部の外周面に、断面六角形のナット状鍔部が形成されたものとすることができる。
【００１５】
　これにより、本考案に係る給水管とエア抜きバルブの連結用アダプタにあっては、エア抜きバルブに対し上記ネジ部により容易に接合することができると共に、上記断面六角形のナット状鍔部によりネジ部の締め付けを確実にすることができる。
【００１６】
　また、本考案の給水管とエア抜きバルブの連結用アダプタは、上記給水管接合管部の外周面に、給水管とハウジング型管継手により連結するためのハウジング型管継手係合用の溝部が形成されたものとすることができる。
【００１７】
　これにより、本考案に係る給水管とエア抜きバルブの連結用アダプタにあっては、上記給水管接合管部と給水管とを上記溝部に係合するハウジング型管継手を用いて容易に接合することができるので、溶接等の煩雑な接合作業をしないですむ。
【００１８】
　また、本考案の給水管とエア抜きバルブの連結用アダプタは、上記給水管接合管部は給水管に対し溶接により接合しうるように形成されているものとすることができる。
【００１９】
　これにより、本考案に係る給水管とエア抜きバルブの連結用アダプタにあっては、上記給水管接合管部と給水管とを溶接により接合できるので、上記給水管接合管部に寸法が規格により定められた溝部を形成する煩雑がなく、又、ハウジング型管継手等の別部品を用いないですむので、部品点数が増加するのを回避することができる。
【考案の効果】
【００２０】
　請求項１記載の本考案の給水管とエア抜きバルブの連結用アダプタは、全体が一部品で構成され、従来の連結用部品に比べ部品点数が減少すると共に、切削加工により形成することにより、溶接等の煩雑な接合作業が不要となるので、製造コストを低減することができる。
　また、内面部を凹部が発生しないように加工できるので、エア溜まりの発生を防止することができる。
【００２１】
　また、請求項２記載の本考案の給水管とエア抜きバルブの連結用アダプタは、上記給水管接合管部からエアが上記テーパ状内面部によって阻害されずにエア抜きバルブ接合管部へ流入することができるので、エア抜きバルブにエアがスムースに送られてエア抜きが確実に行なわれる。
【００２２】
　また、請求項３記載の本考案の給水管とエア抜きバルブの連結用アダプタは、、エア抜きバルブに対する接合が上記ネジ部により容易になると共に、上記断面六角形のナット状鍔部によりネジ部の締め付けを確実に行なうことができる。
【００２３】
　また、請求項４記載の本考案の給水管とエア抜きバルブの連結用アダプタは、上記給水管接合管部と給水管とを上記溝部に係合するハウジング型管継手を用いて容易に接合することができる。したがって、溶接等の煩雑な接合作業をしないですむ。
【００２４】
　また、請求項５記載の本考案の給水管とエア抜きバルブの連結用アダプタは、上記給水管接合管部と給水管とを溶接により接合できるので、上記給水管接合管部に寸法が規格により厳格に定められた溝部を形成する煩雑がなく、又、ハウジング型管継手等の別の連結部品を用いないですむので、部品点数が増加するのを回避することができる。
【考案を実施するための最良の形態】
【００２５】
　以下、添付した図面を参照して本考案の実施の形態について説明する。
　本実施の形態に係る給水管とエア抜きバルブの連結用アダプタ１は、図１に示すように、給水管２の先端にエア抜きバルブ３を連結するためのアダプタであって、図２及び図４に示すように、一端に給水管接合管部４を有し、他端に上記給水管接合管部４と連通すると共に、上記給水管接合管部４よりも内径が縮小するエア抜きバルブ接合管部５を有し、全体が金属製で切削加工により形成されている。
　そして、図２及び図４に示すように、上記給水管接合管部４の内面部と、上記エア抜きバルブ接合管部５の内面部とがテーパ状内面部６を介して連続形成されている。
　また、図２及び図４に示すように、上記エア抜きバルブ接合管部５にはエア抜きバルブ３に対する接合用のネジ部７が形成されると共に、上記エア抜きバルブ接合管部５の根元部の外周面には断面六角形のナット状鍔部８が形成されている。
　また、図３に示すように、上記給水管接合管部４の外周面には給水管２とハウジング型管継手９ａ，９ｂにより連結するためのハウジング型管継手係合用の溝部１０が形成されている。
　なお、図５に示すように、上記給水管接合管部４は給水管２に対し溶接により接合することも可能である。
【実施例１】
【００２６】
　図１〜図３は実施例１に係るものである。
　まず、本実施例１に係るアダプタ１は、図１に示すように使用されるものである。
　すなわち、マンション等のビル１１に給水管２の幹管２ａが鉛直方向に取り付けられ、その幹管２ａの所要位置から水平方向へ枝管２ｂが分岐され、ポンプの圧力で幹管２ａを上昇した水が、その幹管２ａから枝管２ｂに流入してビル１１の各階へ供給されるように給水システムが構成されており、上記幹管２ａの上端部に本実施例に係るアダプタ１を介してエア抜きバルブ３が連結されている。
【００２７】
　そして、上記エア抜きバルブ３で幹管２ａの上端部に溜まった空気のエア抜きが行なわれるように構成されている。
【００２８】
　上記アダプタ１はステンレス等の金属を素材とし、切削加工により形成されている。
【００２９】
　上記アダプタ１は、図２に示すように、給水管２の幹管２上端部に接続するための給水管接合パイプ部４が下半部に形成されるとともに、エア抜きバルブ３に接続するためのエア抜きバルブ接合パイプ部５が上半部に形成されている。
【００３０】
　また、上記エア抜きバルブ接合パイプ部５は、図２に示すように、その外面が先細テーパ状に形成されるとともに、同テーパ部１２にネジ部８が形成されている。
　すなわち、このネジ部８が、図３に示すように、エア抜きバルブ３に形成されたネジ部１３に螺着しうるように形成されている。
【００３１】
　なお、本実施例では、上記エア抜きバルブ接合パイプ部５に形成されたネジ部８が雄ネジで、エア抜きバルブ３に形成されたネジ部が雌ネジになっているが、これを逆にすることも可能である。
【００３２】
　また、本実施例では、上記エア抜きバルブ接合パイプ部５の外面は先細テーパ状に形成されているが、上記エア抜きバルブ接合パイプ部５の外径を一定にすることも可能である。
【００３３】
　上記エア抜きバルブ３は、エア抜きができて、上記のように、上記エア抜きバルブ接合パイプ部５とネジ接合できるものであれば、構造は自由であり、既存の任意のバルブを使用可能である。したがって、エア抜きバルブ３の詳細な説明は省略する。
【００３４】
　また、図２に示すように、上記アダプタ１における上記給水管接合パイプ部４の先端近傍外周面にはグルーブと称される凹状の溝部１０が形成されている。
　この溝部１０は、図３に示すように、ハウジング型管継手９ａ，９ｂを介して給水管２と連結するためのものである。
【００３５】
　すなわち、図３に示すように、給水管２の端部近傍にもグルーブと称される溝部１４が形成され、その給水管２の端面と、上記給水管接合パイプ部４の端面とが対面配置され、上記ハウジング型管継手９ａ，９ｂの一端が給水管２の溝部１４に係合されるとともに、上記ハウジング型管継手９ａ，９ｂの他端が上記給水管接合パイプ部４の溝部１０に係合されて、上記給水管２と上記アダプタ１が連結される。
【００３６】
　なお、図３に示すように、ハウジング型管継手９ａ，９ｂの内部にはガスケット１５が装着され、給水管２と給水管接合パイプ部４との継ぎ目の外周部が上記ガスケット１５により覆われることになる。
【００３７】
　また、上記アダプタ１は、図２に示すように、上記給水管接合パイプ部４と、上記エア抜きバルブ接合パイプ部５との間に、すなわち、長さ方向の中間部の外周面に、スパナやレンチ等の工具でエア抜きバルブ３に対し回転しやすくするための断面六角形のナット状鍔部８が形成されている。
【００３８】
　図２に示すように、上記アダプタ１における上記給水管接合パイプ部４と上記エア抜きバルブ接合パイプ部５の内部は連通している。
【００３９】
　そして、図２に示すように、上記給水管接合パイプ部４の内径に比べ、上記エア抜きバルブ接合パイプ部５の内径は小さく形成されている。
【００４０】
　また、図２に示すように、上記給水管接合パイプ部４の内面部と、上記エア抜きバルブ接合パイプ部５の内面部は、段差を介さずに、テーパ状内面部６を介して連続している。
【実施例２】
【００４１】
　次に、図４及び図５は実施例２に係るものである。
　本実施例２に係るアダプタ１も、上記実施例１のアダプタ１と同様に使用されるものである。
【００４２】
　そして、本実施例２に係るアダプタ１も、ステンレス等の金属を素材とし、切削加工により形成されている。
【００４３】
　また、本実施例２に係るアダプタ１も、図４に示すように、給水管２の幹管２上端部に接続するための給水管接合パイプ部４が下半部に形成されるとともに、エア抜きバルブ３に接続するためのエア抜きバルブ接合パイプ部５が上半部に形成されている。
【００４４】
　また、上記エア抜きバルブ接合パイプ部５は、図４に示すように、その外面が先細テーパ状に形成されるとともに、同テーパ部１２にネジ部８が形成されている。
　すなわち、このネジ部８が、図５に示すように、エア抜きバルブ３に形成されたネジ部１３に螺着しうるように形成されている。
【００４５】
　なお、本実施例２では、上記エア抜きバルブ接合パイプ部５に形成されたネジ部８が雄ネジで、エア抜きバルブ３に形成されたネジ部が雌ネジになっているが、これを逆にすることも可能である。
【００４６】
　また、本実施例２では、上記エア抜きバルブ接合パイプ部５の外面は先細テーパ状に形成されているが、上記エア抜きバルブ接合パイプ部５の外径を一定にすることも可能である。
【００４７】
　上記エア抜きバルブ３は、エア抜きができて、上記のように、上記エア抜きバルブ接合パイプ部５とネジ接合できるものであれば、構造は自由であり、既存の任意のバルブを使用可能である。したがって、エア抜きバルブ３の詳細な説明は省略する。
【００４８】
　また、上記アダプタ１は、図４に示すように、上記給水管接合パイプ部４と、上記エア抜きバルブ接合パイプ部５との間に、すなわち、長さ方向の中間部の外周面に、スパナやレンチ等の工具でエア抜きバルブ３に対し回転しやすくするための断面六角形のナット状鍔部８が形成されている。
【００４９】
　また、図４に示すように、上記アダプタ１における上記給水管接合パイプ部４と上記エア抜きバルブ接合パイプ部５の内部は連通している。
【００５０】
　そして、図４に示すように、上記給水管接合パイプ部４の内径に比べ、上記エア抜きバルブ接合パイプ部５の内径は縮小している。
【００５１】
　また、図４示すように、上記給水管接合パイプ部４の内面部と、上記エア抜きバルブ接合パイプ部５の内面部は、段差を介さずに、テーパ状内面部６を介して連続している。
【００５２】
　本実施例２に係るアダプタ１と、上記実施例１に係るアダプタ１は、給水管接合パイプ部４の構造が異なっている。
　すなわち、実施例２に係るアダプタ１の給水管接合パイプ部４には、上記実施例１に係る給水管接合パイプ部４に設けられていた上記の溝部１０が形成されておらず、図４に示すように、給水管接合パイプ部４の外面はストレートに形成されている。
【００５３】
　したがって、実施例２に係るアダプタ１の給水管接合パイプ部４は、上記実施例１に係るアダプタ１のように、ハウジング型管継手９ａ，９ｂを介して給水管２と連結されるものではなく、図５に示すように、給水管接合パイプ部４の端部と給水管２の端部は溶接により接合されるように形成されている。図中、符号１６が溶接部を示している。
　その結果、本実施例２に係るアダプタ１にあっては、実施例１に係るアダプタ１のように、給水管２との接合にあたって、ハウジング型管継手９ａ，９ｂ、ガスケット１５が不要となることから、給水管２の作成にあたってのコストを低減することができる。
【産業上の利用可能性】
【００５４】
　本考案のアダプタは、エア抜きバルブを取り付ける全ての給水管に適用可能である。
【図面の簡単な説明】
【００５５】
【図１】使用状態を示す斜視図である。（実施例１）
【図２】半断面側面図である。（実施例１）
【図３】給水管とエア抜きバルブを連結した状態の半断面側面図である。（実施例１）
【図４】半断面側面図である。（実施例２）
【図５】給水管とエア抜きバルブを連結した状態の半断面側面図である。（実施例２）
【図６】従来例の給水管とエア抜きバルブの連結部品を示す半断面側面図である。
【符号の説明】
【００５６】
　１　　アダプタ
　２　　給水管
２ａ　　幹管
２ｂ　　枝管
　３　　エア抜きバルブ
　４　　給水管接合管部
　５　　エア抜きバルブ接合管部
　６　　テーパ状内面部
　７　　ネジ部
　８　　ナット状鍔部
９ａ　　ハウジング型管継手
９ｂ　　ハウジング型管継手
１０　　溝部
１１　　ビル
１２　　テーパ部
１３　　ネジ部
１４　　溝部
１５　　ガスケット
１６　　溶接部
２０　　端部用部品
２１　　端部用部品
２２　　中間部品
２３　　連結用部品
２４　　溶接部
【図１】
0003099255.tif 000003
【図２】
0003099255.tif 000004
【図３】
0003099255.tif 000005
【図４】
0003099255.tif 000006
【図５】
0003099255.tif 000007
【図６】
0003099255.tif 000008